(57)【要約】【課題】生体インピーダンス測定用腹部装着ユニットを、仰臥位、伏臥位または横臥位にある被験者に対して容易に装着することができる装着補助具を提供する。【解決手段】装着補助具２００Ａは、被験者３００が仰臥位、伏臥位または横臥位をとった際に被験者３００の腹部３０１を下方から支持可能な支持面２１１を含むベース部２１０と、このベース部２１０の上記支持面２１１を横断するように設けられた溝２１２とを備える。溝２１２は、生体インピーダンス測定用腹部装着ユニット１１０のベルト部材１３０を挿通可能にする挿通路を構成する。【選択図】図７
2008228976.tif 000002
【特許請求の範囲】
【請求項１】
被験者の胴部に巻き回されるベルト部材を含む生体インピーダンス測定用胴部装着ユニットを、仰臥位、伏臥位または横臥位にある被験者に対して装着するための装着補助具であって、
被験者が仰臥位、伏臥位または横臥位をとった際に被験者の胴部を下方から支持可能な支持面を含むベース部と、
前記ベース部によって設けられ、生体インピーダンス測定用胴部装着ユニットのベルト部材を挿通可能にする挿通路とを備える、生体インピーダンス測定用胴部装着ユニットの装着補助具。
【請求項２】
前記ベース部は、台状の部材からなり、
前記挿通路は、前記支持面を横断するように前記ベース部に設けられた溝にて構成されている、請求項１に記載の生体インピーダンス測定用胴部装着ユニットの装着補助具。
【請求項３】
前記ベース部は、中空部を有する鞘状部を含み、
前記中空部によって前記挿通路が構成されている、請求項１に記載の生体インピーダンス測定用胴部装着ユニットの装着補助具。
【請求項４】
前記鞘状部は、少なくともその延在方向の両端部に蛇腹状部を含んでいる、請求項３に記載の生体インピーダンス測定用胴部装着ユニットの装着補助具。
【請求項５】
前記ベース部は、仰臥位、伏臥位または横臥位にある被験者の胴部を昇降可能な昇降機構を含み、
前記挿通路は、前記昇降機構を動作させて被験者の胴部を上昇させた状態において前記ベース部に発現するように構成されている、請求項１に記載の生体インピーダンス測定用胴部装着ユニットの装着補助具。
【請求項６】
前記昇降機構は、空気が出入りすることによって膨縮する空気袋を含んでいる、請求項５に記載の生体インピーダンス測定用胴部装着ユニットの装着補助具。
【請求項７】
前記昇降機構は、前記空気袋に供給するための圧縮空気を備蓄する空気タンクをさらに含んでいる、請求項６に記載の生体インピーダンス測定用胴部装着ユニットの装着補助具。
【発明の詳細な説明】
【技術分野】
【０００１】
本発明は、被験者の胴部に巻き回されるベルト部材を含む生体インピーダンス測定用胴部装着ユニットを、仰臥位、伏臥位または横臥位にある被験者に対して装着するための装着補助具に関する。
【背景技術】
【０００２】
近年、被験者の健康状態を知る一つの指標として、体脂肪量が注目されている。特に、内臓脂肪量は、内臓脂肪型肥満であるか否かの判断を行なうための指標として注目されている。この内臓脂肪型肥満は、糖尿病、高血圧症、高脂血症といった動脈硬化を引き起こし易い生活習慣病を誘発すると言われており、これら疾病の予防の観点から上記指標の活用が期待されている。ここで、内臓脂肪とは、腹筋の内側において内臓の周囲に蓄積した脂肪のことであり、腹部の表層に蓄積する皮下脂肪と区別されるものである。なお、内臓脂肪量を示す指標としては、臍位置に対応する部分の腹部断面において内臓脂肪が占める面積（以下、内臓脂肪面積と称する）を採用することが一般的である。
【０００３】
通常、内臓脂肪量を測定するためには、Ｘ線ＣＴ（computed tomography)あるいはＭＲＩ（magnetic resonance imaging）を用いて撮影された腹部の断層画像を用いた画像解析法が採用されている。この画像解析法においては、取得した腹部の断層画像から内臓脂肪面積が算出される。しかしながら、このような手法を用いるためには、上記Ｘ線ＣＴやＭＲＩ等、医療施設に設置される如くの大型の設備が必要であり、日常的に内臓脂肪量を測定することは非常に困難である。また、Ｘ線ＣＴを利用した場合には被爆の問題もあり、好ましい測定方法とは必ずしも言えない。
【０００４】
これに代わる測定方法として、生体インピーダンス法を応用することが検討されている。生体インピーダンス法は、家庭用の体脂肪測定装置において広く利用されている体脂肪量の測定方法であり、四肢に電極を接触させ、これら電極を用いて生体インピーダンスを測定することにより、測定された生体インピーダンスから体脂肪量を算出するものである。上述の体脂肪測定装置は、全身または四肢、胴部といった身体の部位別の体脂肪の蓄積度合いを正確に測定できるものであり、広く普及している。
【０００５】
しかしながら、従来の体脂肪測定装置は、全身または四肢、胴部といった身体の部位別の体脂肪の蓄積度合いを測定するためのものであり、内臓脂肪の蓄積度合いのみを抽出して正確に測定できるものではない。これは、上述したように、胴部には内臓脂肪のみならず皮下脂肪も含まれるためであり、そのため内臓脂肪量や皮下脂肪量を個別に精度よく測定することは、上述の体脂肪測定装置においては困難であった。
【０００６】
そこで、このような問題を解決するために、直接胴部に電極を接触させ、当該電極を用いて生体インピーダンスを測定し、これに基づいて内臓脂肪量や皮下脂肪量を個別に精度よく測定することが検討されている。たとえば、特開２００２−３６９８０６号公報（特許文献１）には、ベルト部材の内周面上に電極を設け、当該ベルト部材を胴部に巻き回して固定することにより、電極が胴部に対して接触配置されるように構成された体脂肪測定装置が開示されている。この特許文献１に開示の体脂肪測定装置においては、胴部に直接接触させた電極を用いて生体インピーダンスを測定することにより、従来においては困難であった高精度の内臓脂肪量や皮下脂肪量の測定を可能にしようとしている。
【特許文献１】特開２００２−３６９８０６号公報
【発明の開示】
【発明が解決しようとする課題】
【０００７】
ところで、高精度に生体インピーダンスを測定するためには、測定中において被験者が姿勢を変えないことが重要である。測定中において被験者が姿勢を変えてしまった場合には、電極と体表面との間の接触抵抗が変動し、正確な生体インピーダンスの測定ができなくなってしまう。そのため、特に上述の如く腹部に電極を装着させることが企図された体脂肪測定装置にあっては、その測定姿勢として立位や座位を採用するよりも、仰臥位、伏臥位または横臥位といった測定姿勢を採用することが好ましい。
【０００８】
しかしながら、上述の特許文献１に開示の如く胴部に巻き回したベルト部材に電極を設ける構成を採用した場合には、被験者が仰臥位、伏臥位または横臥位をとった後には痩せた体型の人を除いてベッド面と胴部との間に隙間が生じず、ベルト部材を胴部に巻き回すことが非常に困難になるという問題が生じる。これを解決するためには、被験者が仰臥位、横臥位または伏臥位をとる前に被験者にベルト部材を装着させておくことが考えられるが、その場合にも何らかの理由でベルト部材の装着のし直しが必要となった場合に被験者が再度起き上がる必要があり、非常に煩雑な作業を強いることとなってしまう。
【０００９】
そこで、本発明は、上述の問題を解決すべくなされたものであり、被験者の胴部に巻き回されるベルト部材を含む生体インピーダンス測定用胴部装着ユニットを、仰臥位、伏臥位または横臥位にある被験者に対して容易に装着することができるようにする生体インピーダンス測定用胴部装着ユニットの装着補助具を提供することを目的とする。
【課題を解決するための手段】
【００１０】
本発明に基づく生体インピーダンス測定用胴部装着ユニットの装着補助具は、被験者の胴部に巻き回されるベルト部材を含む生体インピーダンス測定用胴部装着ユニットを、仰臥位、伏臥位または横臥位にある被験者に対して装着するためのものであって、ベース部と、挿通路とを備えている。上記ベース部は、被験者が仰臥位、伏臥位または横臥位をとった際に被験者の胴部を下方から支持可能な支持面を含んでいる。上記挿通路は、上記ベース部によって設けられ、生体インピーダンス測定用胴部装着ユニットのベルト部材を挿通可能にする。
【００１１】
このように構成することにより、被験者が仰臥位、伏臥位または横臥位をとった後にも、被験者とベッド面との間に生体インピーダンス測定用胴部装着ユニットのベルト部材を挿通させることが可能な挿通路が形成されることになるため、当該挿通路にベルト部材を挿通させることによって容易に生体インピーダンス測定用胴部装着ユニットを被験者に装着させることが可能になる。
【００１２】
上記本発明に基づく生体インピーダンス測定用胴部装着ユニットの装着補助具にあっては、上記ベース部が台状の部材にて構成されていることが好ましく、その場合に、上記挿通路が上記支持面を横断するように上記ベース部に設けられた溝にて構成されていることが好ましい。
【００１３】
このように、挿通路を台状の部材からなるベース部に設けられた溝にて構成することにより、非常に簡便にベース部に挿通路を設けることができる。
【００１４】
上記本発明に基づく生体インピーダンス測定用胴部装着ユニットの装着補助具にあっては、上記ベース部が中空部を有する鞘状部を含んでいることが好ましく、その場合に上記挿通路が上記中空部によって構成されていることが好ましい。なお、ここで言う「ベース部が鞘状部を含んでいる」という概念は、鞘状部を構成する鞘状の部材そのものによってベース部が構成されている場合をも含むものである。
【００１５】
このように、ベース部に鞘状部を設け、当該鞘状部の内部に設けられた中空部によって挿通路を構成することにより、非常に簡便にベース部に挿通路を設けることができる。
【００１６】
上記本発明に基づく生体インピーダンス測定用胴部装着ユニットの装着補助具にあっては、上記鞘状部が少なくともその延在方向の両端部に蛇腹状部を含んでいることが好ましい。
【００１７】
このように、鞘状部がその延在方向の両端部に少なくとも蛇腹状部を有している構成とすることにより、生体インピーダンス測定用胴部装着ユニットを被験者の胴部に装着した状態において、ベルト部材の胴部への締め付けに追従して蛇腹状部が変形して胴部にフィットすることになる。そのため、生体インピーダンス測定用胴部装着ユニットのベルト部材を被験者の胴部に対して鞘状部を介在させて巻き付けることによって生じ得る被験者の胴部に対するベルト部材の締め付け力の低下を防止することができる。
【００１８】
上記本発明に基づく生体インピーダンス測定用胴部装着ユニットの装着補助具にあっては、上記ベース部が仰臥位、伏臥位または横臥位にある被験者の胴部を昇降可能な昇降機構を含んでいることが好ましく、その場合に、上記挿通路が上記昇降機構を動作させて被験者の胴部を上昇させた状態において上記ベース部に発現するように構成されていることが好ましい。なお、ここで言う「ベース部が昇降機構を含んでいる」という概念は、昇降機構そのものによってベース部が構成されている場合をも含むものである。
【００１９】
このように、昇降機構を動作させることによってベース部に挿通路が発現するように構成することにより、生体インピーダンス測定用胴部装着ユニットの装着作業時においてのみ被験者の胴部が持ち上げられることとすることができる。したがって、装着後において胴部を降下させることが可能になるため、被験者への負担を大幅に軽減することができる。
【００２０】
上記本発明に基づく生体インピーダンス測定用胴部装着ユニットの装着補助具にあっては、上記昇降機構が空気が出入りすることによって膨縮する空気袋を含んでいることが好ましい。
【００２１】
このように、昇降機構を膨縮可能な空気袋によって構成することにより、簡便にベース部に昇降機構を具備させることが可能になる。なお、空気袋そのものがベース部を構成するようにすることも当然に可能である。
【００２２】
上記本発明に基づく装着補助具にあっては、上記昇降機構が上記空気袋に供給するための圧縮空気を備蓄する空気タンクをさらに含んでいることが好ましい。
【００２３】
このように構成することにより、空気袋の膨張動作を短時間で行なうことができるようになる。そのため、さらに利便性に優れた生体インピーダンス測定用胴部装着装ユニットの装着補助具とすることができる。
【発明の効果】
【００２４】
本発明によれば、被験者の胴部に巻き回されるベルト部材を含む生体インピーダンス測定用胴部装着ユニットを、仰臥位、伏臥位または横臥位にある被験者に対して容易に装着することができるようになる。
【発明を実施するための最良の形態】
【００２５】
まず、本発明の実施の形態における生体インピーダンス測定用胴部装着ユニットの装着補助具について説明するに先立ち、身体の部位を表す各種用語の定義を行なうとともに、本発明の実施の形態における装着補助具が利用されて被験者に装着される生体インピーダンス測定用胴部装着ユニットを含む体脂肪測定装置について説明を行なう。
【００２６】
＜身体の部位を表す各種用語の定義＞
以下において身体の部位を表す各種用語の定義を行なう。「胴部」とは、身体の頭部、頸部および四肢を除く部分であり、胸部と腹部とを含むいわゆる体幹部に相当する部分である。「腹部」とは、胴部を頸部側に位置する部分（すなわち胸部）と下肢側に位置する部分とに分けたうちの下肢側に位置する部分であり、腹部前面と腹部背面とを含む。「腹部前面」とは、被験者の腹部の表面のうち、被験者を正面側から観察した場合に視認可能な部分の体表面を言う。「腹部背面」とは、被験者の腹部の表面のうち、被験者を背面側から観察した場合に視認可能な部分の体表面を言う。「腹部より離れた部位」とは、上腕、前腕、手首および手指からなる上肢と、横隔膜が位置する部分より所定の距離（たとえば略１０ｃｍ）以上離れた胸部と、頸部および頭部と、大腿、下腿、足首および足指からなる下肢とを含む。また、「体軸」とは、被験者の腹部の横断面に対し略垂直方向に延びる軸を言う。
【００２７】
＜体脂肪測定装置＞
次に、本実施の形態における装着補助具が利用されて被験者に装着される生体インピーダンス測定用胴部装着ユニットを含む体脂肪測定装置について説明を行なう。以下に示す体脂肪測定装置は、内臓脂肪量のみならず、全身の脂肪量や身体の特定の部位別の脂肪量（上肢、下肢それぞれの脂肪量や胴部（体幹部）の脂肪量、腹部における皮下脂肪量等）を測定することが可能に構成された体脂肪測定装置である。なお、以下に示す体脂肪測定装置に含まれる生体インピーダンス測定用胴部装着ユニットは、被験者の腹部に巻き回されて装着されることが企図されたものであるため、以下においては「生体インピーダンス測定用腹部装着ユニット」と称する。
【００２８】
＜体脂肪測定装置の機能ブロック＞
まず、体脂肪測定装置の機能ブロックの構成について説明する。図１は、生体インピーダンス測定用腹部装着ユニットを含む体脂肪測定装置の機能ブロックの一例を示す図である。
【００２９】
図１に示すように、体脂肪測定装置１は、制御部１０と、定電流生成部２１と、端子切替部２２と、電位差検出部２３と、体格情報計測部２４と、被験者情報入力部２５と、表示部２６と、操作部２７と、電源部２８と、メモリ部２９と、身体に装着される複数の電極Ａ１１，Ａ１２，Ａ２１，Ａ２２，Ｈ１１，Ｈ１２，Ｈ２１，Ｈ２２，Ｆ１１，Ｆ１２，Ｆ２１，Ｆ２２とを主として備えている。制御部１０は、演算処理部１１を含んでいる。演算処理部１１は、インピーダンス算出部１２と、各種脂肪量算出部１３とを有しており、各種脂肪量算出部１３は、たとえば体脂肪量算出部１４，部位別脂肪量算出部１５、内臓脂肪量算出部１６および皮下脂肪量算出部１７を含んでいる。
【００３０】
制御部１０は、たとえばＣＰＵ（central processor unit）によって構成され、体脂肪測定装置１の全体的な制御を行なう。具体的には、制御部１０は、上述した各種機能ブロックに対して指令を送出したり、得られた情報に基づいて各種の演算処理を行なったりする。このうち各種の演算処理については、上述の制御部１０に設けられた演算処理部１１によって行なわれる。
【００３１】
上記複数の電極は、被験者の腹部に装着される腹部電極Ａ１１，Ａ１２，Ａ２１，Ａ２２と、被験者の上肢に装着される上肢電極Ｈ１１，Ｈ１２，Ｈ２１，Ｈ２２と、被験者の下肢に装着される下肢電極Ｆ１１，Ｆ１２，Ｆ２１，Ｆ２２とを含んでいる。
【００３２】
腹部電極Ａ１１，Ａ１２，Ａ２１，Ａ２２は、それぞれの電極が体軸方向に沿って整列した状態で被験者の腹部の表面に装着される。腹部電極Ａ１１，Ａ１２，Ａ２１，Ａ２２は、被験者の腹部前面に装着されてもよいし、被験者の腹部背面に装着されてもよい。また、上記４つの腹部電極Ａ１１，Ａ１２，Ａ２１，Ａ２２を１組とする腹部電極群が互いに平行に複数組、腹部に装着される構成としてもよい。その場合には、すべての組の腹部電極群が腹部前面あるいは腹部背面のいずれか一方にのみ装着されるように構成してもよいし、一部の組の腹部電極群が腹部前面に、残りの組の腹部電極群が腹部背面に装着されるように構成してもよい。
【００３３】
上肢電極Ｈ１１，Ｈ１２，Ｈ２１，Ｈ２２は、被験者の腹部から離れた部位に相当する上肢のいずれかの部位に装着されるものであり、好適には右手の手首の表面と左手の手首の表面とにそれぞれ一対ずつ装着される。下肢電極Ｆ１１，Ｆ１２，Ｆ２１，Ｆ２２は、被験者の腹部から離れた部位に相当する下肢のいずれかの部位に装着されるものであり、好適には右足の足首の表面と左足の足首の表面とにそれぞれ一対ずつ装着される。上記した腹部電極Ａ１１，Ａ１２，Ａ２１，Ａ２２、上肢電極Ｈ１１，Ｈ１２，Ｈ２１，Ｈ２２、および下肢電極Ｆ１１，Ｆ１２，Ｆ２１，Ｆ２２は、それぞれ端子切替部２２に電気的に接続されている。
【００３４】
端子切替部２２は、たとえばリレー回路によって構成され、制御部１０から入力される指令に基づき、上述した複数の電極のうちから選択した特定の電極と定電流生成部２１とを電気的に接続するとともに、上述した複数の電極のうちから選択した特定の電極と電位差検出部２３とを電気的に接続する。これにより、端子切替部２２によって定電流生成部２１に電気的に接続された電極が定電流印加電極として機能するようになり、また端子切替部２２によって電位差検出部２３に電気的に接続された電極が電位差検出電極として機能するようになる。上記端子切替部２２による電気的な接続は、測定動作中において種々切替えられる。なお、通常、定電流印加電極と電位差検出電極とは、それぞれ一対の電極によって構成されるが、ここで言う一対の電極のそれぞれには、単数の電極または複数の電極の両者が含まれる。すなわち、別個独立して設けられた電極であっても電気的に等価に扱うことにより、一対の電極のそれぞれを構成する場合がある。
【００３５】
定電流生成部２１は、制御部１０から入力される指令に基づいて定電流を生成し、生成した定電流を端子切替部２２を介して上述の定電流印加電極に供給する。定電流生成部２１において生成される定電流としては、体組成情報を測定するために好適に使用される高周波電流（たとえば、５０ｋＨｚ，５００μＡ）が選択される。これにより、定電流印加電極を介して定電流が被験者に印加されることになる。
【００３６】
電位差検出部２３は、端子切替部２２によって電位差検出部２３に電気的に接続された電極（すなわち電位差検出電極）間における電位差を検出し、検出した電位差を制御部１０に対して出力する。これにより、上述した定電流が被験者に印加された状態における電位差検出電極間の電位差が検出されることになる。
【００３７】
体格情報計測部２４および被験者情報入力部２５は、演算処理部１１に含まれる各種脂肪量算出部１３において行なわれる演算処理に利用される被験者情報を得るための部位である。ここで、「被験者情報」とは、被験者に関する情報を意味し、たとえば年齢や性別あるいは体格情報等の情報のうちの少なくとも１つを含む。また、「体格情報」とは、被験者の身体の特定の部位におけるサイズに関する情報（たとえば、ウエスト長（腹部周長）や腹部横幅、腹部厚み、身長等のうちの少なくとも１つを含む情報）や体重等の情報を含む。体格情報計測部２４は、被験者の体格情報を自動計測する部位であり、検出された体格情報を制御部１０に対して出力する。一方、被験者情報入力部２５は、被験者情報を入力するための部位であり、入力された被験者情報を制御部１０に対して出力する。
【００３８】
なお、図１に示される機能ブロック図においては、体格情報計測部２４および被験者情報入力部２５の両方が体脂肪測定装置１に設けられた場合を例示しているが、これら体格情報計測部２４および被験者情報入力部２５は、いずれも必須の構成となるものではない。体格情報計測部２４および／または被験者情報入力部２５を設けるか否かについては、制御部１０の演算処理部１１において行なわれる演算処理に利用される被験者情報の種類に基づいて適宜選択される。また、上述の被験者情報のうち、体格情報については、体格情報計測部２４を用いて自動計測し、その計測データを利用するように構成してもよいし、体格情報計測部２４を設けずに被験者情報入力部２５において被験者自らが情報を入力し、当該入力データを利用する構成としてもよい。
【００３９】
演算処理部１１は、上述したようにインピーダンス算出部１２と各種脂肪量算出部１３とを含んでいる。インピーダンス算出部１２は、上述した定電流生成部２１によって生成された定電流の電流値と、上述した電位差検出部２３において検出されて制御部１０に入力された電位差情報とに基づいて各種の生体インピーダンスを算出する。各種脂肪量算出部１３は、上記インピーダンス算出部において得られた生体インピーダンスと、体格情報計測部２４および／または被験者情報入力部２５から入力された被験者情報とに基づいて各種脂肪量を算出する。各種脂肪量算出部１３は、たとえば被験者の全身の体脂肪量を算出する体脂肪量算出部１４、被験者の身体の特定部位別の脂肪量を算出する部位別脂肪量算出部１５、被験者の内臓脂肪量を算出する内臓脂肪量算出部１６および被験者の腹部における皮下脂肪量を算出する皮下脂肪量算出部１７の少なくとも１つを含む。
【００４０】
表示部２６は、上述の各種脂肪量算出部１３において算出された各種の体脂肪量の情報を表示する。表示部２６としては、たとえばＬＣＤ（liquid crystal display）が利用可能である。なお、表示部２６において表示される脂肪量としては、たとえば被験者の全身の体脂肪量や被験者の身体の特定の部位別の脂肪量、内臓脂肪量、腹部における皮下脂肪量等が挙げられる。ここで、「脂肪量」とは、たとえば脂肪重量、脂肪面積、脂肪体積、脂肪レベル等に代表される脂肪の量を指し示す指標を意味し、特に「内臓脂肪量」とは、内臓脂肪重量、内臓脂肪面積、内臓脂肪体積および内臓脂肪レベルの少なくともいずれかで表現される指標を意味する。
【００４１】
操作部２７は、体脂肪測定装置１に対して被験者が命令を入力するための部位であり、たとえば被験者が押下可能なキー等によって構成される。
【００４２】
電源部２８は、制御部１０に電力を供給するための部位であり、バッテリ等の内部電源や商用電源等の外部電源等が含まれる。
【００４３】
メモリ部２９は、体脂肪測定装置１に関する各種のデータやプログラムを記憶するための部位であり、たとえば上述した被験者情報や算出された各種の体脂肪量、後述する体脂肪測定処理を実行するための体脂肪測定プログラム等を記憶している。
【００４４】
＜内臓脂肪面積を測定する際の演算処理＞
次に、体脂肪測定装置において行なわれる演算処理の一例について説明する。上述したように、体脂肪測定装置１においては、各種脂肪量算出部１３において各種の体脂肪量が測定可能であるが、以下においては内臓脂肪量を示す指標としての内臓脂肪面積の算出の際に実施される演算処理を例示して説明する。
【００４５】
図１を参照して、インピーダンス算出部１２は、定電流生成部２１において生成される定電流の電流値と、電位差検出部２３において検出される電位差とに基づいて、２種類の生体インピーダンスを算出する。２種類の生体インピーダンスの一方は、被験者の腹部における除脂肪量を反映する生体インピーダンスＺｔである。他方の生体インピーダンスは、被験者の腹部における皮下脂肪量を反映する生体インピーダンスＺｓである。
【００４６】
内臓脂肪量算出部１６は、算出された２種類の生体インピーダンスＺｔ，Ｚｓと、被験者の体格情報の１つであるウエスト長Ｗとに基づいて、被験者の内臓脂肪面積Ｓｖ（単位：ｃｍ2）を算出する。具体的には、たとえば、２種類の生体インピーダンスＺｔ，Ｚｓおよび被験者のウエスト長Ｗと内臓脂肪面積Ｓｖとの関係を表わす以下のような式（１）によって、内臓脂肪面積Ｓｖが算出される。
【００４７】
Ｓｖ＝ａ×Ｗ2−ｂ×（１／Ｚｔ）−ｃ×Ｗ×Ｚｓ−ｄ          …（１）
（ただし、ａ，ｂ，ｃ，ｄ：係数）。
【００４８】
また、皮下脂肪量算出部１７は、算出された生体インピーダンスＺｓと、被験者の体格情報の１つであるウエスト長Ｗとに基づいて、被験者の皮下脂肪面積Ｓｓ（単位：ｃｍ2）を算出する。具体的には、たとえば、生体インピーダンスＺｓおよび被験者のウエスト長Ｗと皮下脂肪面積Ｓｓとの関係を表わす以下のような式（２）によって、皮下脂肪面積Ｓｓが算出される。
【００４９】
Ｓｓ＝ｅ×Ｗ×Ｚｓ＋ｆ          …（２）
（ただし、ｅ，ｆ：係数）。
【００５０】
また、体脂肪量算出部１４は、算出された生体インピーダンスＺｔと、被験者の体格情報の１つである身長Ｈとに基づいて、除脂肪量ＦＦＭ（単位：ｋｇ）を算出する。具体的には、たとえば、生体インピーダンスＺｔおよび被験者の身長Ｈと除脂肪量ＦＦＭとの関係を表わす以下のような式（３）によって、除脂肪量ＦＦＭが算出される。
【００５１】
ＦＦＭ＝ｉ×Ｈ2／Ｚｔ＋ｊ          …（３）
（ただし、ｉ，ｊ：係数）。
【００５２】
上記のような式（１），（２），（３）の各々における係数は、たとえばＭＲＩによる測定結果に基づく回帰式により定められる。また、式（１），（２），（３）の各々における係数は、年齢および／または性別ごとに定められてもよい。
【００５３】
なお、上述した内臓脂肪面積Ｓｖの算出とは直接関係しないが、被験者の全身の体脂肪量を算出する場合には、体脂肪量算出部１４は、算出された除脂肪量ＦＦＭと、体格情報である体重Ｗｔとに基づいて、被験者の体脂肪量、たとえば体脂肪率（％）を算出する。具体的には、たとえば、体脂肪率は、除脂肪量ＦＦＭと被験者の体重Ｗｔとに基づいて、以下のような式（４）により算出される。
【００５４】
体脂肪率＝（Ｗｔ−ＦＦＭ）／Ｗｔ×１００          …（４）
また、具体的な説明は省略するが、身体の部位別の体脂肪量についても、定電流印加電極および電位差検出電極を種々切替えて得られた生体インピーダンスと、被験者の体格情報とに基づいて、その算出が可能である。
【００５５】
＜内臓脂肪面積を測定する際の動作手順＞
次に、体脂肪測定装置を用いて内臓脂肪面積を測定する際の体脂肪測定装置の動作について説明する。図２は、体脂肪測定装置を用いて内臓脂肪面積を測定する際の体脂肪測定装置の動作手順を定めたフローチャートである。図２のフローチャートに示す処理は、予めプログラムとしてメモリ部２９に格納されており、演算処理部１１を含む制御部１０がこのプログラムを読み出して実行することにより、内臓脂肪面積測定処理の機能が実現される。なお、以下に示す動作手順は、図１に示す体脂肪測定装置において、図示される４つの腹部電極Ａ１１，Ａ１２，Ａ２１，Ａ２２を１組とする腹部電極群を互いに平行に４組配置した構成とした場合の動作手順である。
【００５６】
図２を参照して、制御部１０は、体格情報としてのウエスト長Ｗや身長Ｈ、体重Ｗｔ等を含む被験者情報の入力を受け付ける（ステップＳ１）。ここで受け付けた被験者情報は、たとえばメモリ部２９に一時的に保存される。なお、体格情報計測部２４を用いて被験者情報のうちの特定の体格情報を自動計測する構成を採用した場合には、体格情報計測部２４にて計測された体格情報が制御部１０に対して入力される。
【００５７】
次に、制御部１０は、測定開始の指示があったか否かを判断する（ステップＳ２）。制御部１０は、測定開始の指示があるまで待機する（ステップＳ２においてＮＯ）。制御部１０は、測定開始の指示を検知した場合に（ステップＳ２においてＹＥＳ）、電極の設定を行なう（ステップＳ３）。
【００５８】
ここで、ステップＳ３において、制御部１０は、たとえば一対の上肢電極Ｈ１１，下肢電極Ｆ１１および一対の上肢電極Ｈ２１，下肢電極Ｆ２１をそれぞれ定電流印加電極対として選択し、４組ある腹部電極群のうちの１の腹部電極群に含まれる一対の腹部電極Ａ１１，Ａ２１を電位差検出電極対として選択する。端子切替部２２は、制御部１０の制御に基づいて、一対の上肢電極Ｈ１１，下肢電極Ｆ１１および一対の上肢電極Ｈ２１，下肢電極Ｆ２１を定電流生成部２１と電気的に接続し、かつ一対の腹部電極Ａ１１，Ａ２１を電位差検出部２３と電気的に接続する。ここで、端子切替部２２は、制御部１０の制御に基づいて、選択されていない電極と定電流生成部２１および電位差検出部２３との電気的な接続を切断する。
【００５９】
定電流生成部２１は、制御部１０の制御に基づいて、上肢と下肢との間に定電流を流す。たとえば、定電流生成部２１は、上肢電極Ｈ１１および上肢電極Ｈ２１から下肢電極Ｆ１１および下肢電極Ｆ２１へ定電流を流す（ステップＳ４）。この場合、端子切替部２２は、上肢電極Ｈ１１と上肢電極Ｈ２１とを短絡し、かつ下肢電極Ｆ１１と下肢電極Ｆ２１とを短絡させる構成であることが好ましい。なお、定電流生成部２１および端子切替部２２は、上肢電極Ｈ１１，Ｈ２１のいずれか１つから下肢電極Ｆ１１，Ｆ２１のいずれか１つへ定電流を流す構成であってもよい。
【００６０】
この状態において、電位差検出部２３は、制御部１０の制御に基づいて、腹部電極Ａ１１，Ａ２１間の電位差を検出する（ステップＳ５）。
【００６１】
次に、制御部１０は、予め定めたすべての電極対の組み合わせに対して電位差の検出が終了したか否かを判断する（ステップＳ６）。制御部１０は、予め定めたすべての電極対の組み合わせに対して電位差の検出が終了していないと判断した場合に（ステップＳ６においてＮＯ）、上述のステップＳ３へと移行する。制御部１０は、予め定めたすべての電極対の組み合わせに対して電位差の検出が終了したと判断した場合に（ステップＳ６においてＹＥＳ）、後述するステップＳ７へと移行する。
【００６２】
このようにして、制御部１０は、他の腹部電極群に含まれる腹部電極Ａ１１，Ａ２１を順番に電位差検出電極対として選択していく。すなわち、端子切替部２２は、制御部１０の制御に基づいて、他の腹部電極群に含まれる腹部電極Ａ１１，Ａ２１を順番に電位差検出部２３と電気的に接続する（ステップＳ３）。そして、電位差検出部２３は、制御部１０の制御に基づいて、他の腹部電極群に含まれる腹部電極Ａ１１，Ａ２１間の電位差を各々順番に検出する（ステップＳ５）。
【００６３】
インピーダンス算出部１２は、すべての腹部電極群に含まれる腹部電極Ａ１１，Ａ２１の組み合わせに対する電位差の検出が終了した後に（ステップＳ６においてＹＥＳ）、定電流生成部２１が生成し身体に流した定電流の電流値と、電位差検出部２３が検出した各電位差とに基づいて、生体インピーダンスＺｔ１〜Ｚｔ４を算出する（ステップＳ７）。インピーダンス算出部１２が算出した生体インピーダンスＺｔ１〜Ｚｔ４の値は、たとえばメモリ部２９に一時的に保存される。
【００６４】
次に、制御部１０は、改めて電極の設定を行なう（ステップＳ８）。より具体的には、制御部１０は、４組ある腹部電極群のうちの１つの腹部電極群に含まれる一対の腹部電極Ａ１１，Ａ２１を定電流印加電極対として選択し、当該腹部電極群に含まれる一対の腹部電極Ａ１２，Ａ２２を電位差検出電極対として選択する。端子切替部２２は、制御部１０の制御に基づいて、一対の腹部電極Ａ１１，Ａ２１を定電流生成部２１と電気的に接続し、かつ一対の腹部電極Ａ１２，Ａ２２を電位差検出部２３と電気的に接続する。ここで、端子切替部２２は、制御部１０の制御に基づいて、選択されていない腹部電極、上肢電極および下肢電極と定電流生成部２１および電位差検出部２３との電気的な接続を切断する。
【００６５】
定電流生成部２１は、制御部１０の制御に基づいて、腹部電極Ａ１１，Ａ２１間に定電流を流す（ステップＳ９）。
【００６６】
この状態において、電位差検出部２３は、制御部１０の制御に基づいて、腹部電極Ａ１２，Ａ２２間の電位差を検出する（ステップＳ１０）。
【００６７】
次に、制御部１０は、予め定めたすべての電極対の組み合わせに対して電位差の検出が終了したか否かを判断する（ステップＳ１１）。制御部１０は、予め定めたすべての電極対の組み合わせに対して電位差の検出が終了していないと判断した場合に（ステップＳ１１においてＮＯ）、上述のステップＳ８へと移行する。制御部１０は、予め定めたすべての電極対の組み合わせに対して電位差の検出が終了したと判断した場合に（ステップＳ１１においてＹＥＳ）、後述するステップＳ１２へと移行する。
【００６８】
このようにして、制御部１０は、他の腹部電極群に含まれる腹部電極Ａ１１，Ａ２１を定電流印加電極として選択するとともに、当該腹部電極群に含まれる腹部電極Ａ１２，Ａ２２を順番に電位差検出電極対として選択していく。すなわち、端子切替部２２は、制御部１０の制御に基づいて、他の腹部電極群に含まれる腹部電極Ａ１１，Ａ２１を順番に定電流生成部２１と電気的に接続するとともに、当該腹部電極群に含まれる腹部電極Ａ１２，Ａ２２を順番に電位差検出部２３と電気的に接続する（ステップＳ８）。そして、電位差検出部２３は、制御部１０の制御に基づいて、他の腹部電極群に含まれる腹部電極Ａ１１，Ａ２１間に定電流を流し（ステップＳ９）、当該腹部電極群に含まれる腹部電極Ａ１２，Ａ２２間の電位差を各々順番に検出する（ステップＳ１０）。
【００６９】
インピーダンス算出部１２は、すべての腹部電極群に含まれる電極対の組み合わせに対する電流の印加および電位差の検出が終了した後に（ステップＳ１１においてＹＥＳ）、定電流生成部２１が生成し身体に流した定電流の電流値と、電位差検出部２３が検出した各電位差とに基づいて、生体インピーダンスＺｓ１〜Ｚｓ４を算出する（ステップＳ１２）。インピーダンス算出部１２が算出した生体インピーダンスＺｓ１〜Ｚｓ４の値は、たとえばメモリ部２９に一時的に保存される。
【００７０】
次に、内臓脂肪量算出部１６は、ステップＳ１で制御部１０が受け付けた体格情報のうちのウエスト長Ｗと、算出された生体インピーダンスＺｔ１〜Ｚｔ４および生体インピーダンスＺｓ１〜Ｚｓ４とに基づいて、内臓脂肪面積Ｓｖを算出する（ステップＳ１３）。内臓脂肪面積Ｓｖは、上述の式（１）により算出される。なお、上述のように４つの腹部電極Ａ１１，Ａ１２，Ａ２１，Ａ２２を１組とする腹部電極群を互いに平行に４組配置した構成とした場合には、たとえば、４つの生体インピーダンスＺｔ１〜Ｚｔ４の平均値および４つの生体インピーダンスＺｓ１〜Ｚｓ４の平均値が、それぞれ式（１）に代入される。
【００７１】
次に、皮下脂肪量算出部１７は、ステップＳ１で制御部１０が受け付けた体格情報のうちのウエスト長Ｗと、算出された生体インピーダンスＺｓ１〜Ｚｓ４とに基づいて、皮下脂肪面積Ｓｓを算出する（ステップＳ１４）。皮下脂肪面積Ｓｓは、上述の式（２）にウエスト長Ｗおよび算出された生体インピーダンスＺｓを代入することによって算出される。なお、上述のように４つの腹部電極Ａ１１，Ａ１２，Ａ２１，Ａ２２を１組とする腹部電極群を互いに平行に４組配置した構成とした場合には、たとえば、４個の生体インピーダンスＺｓ１〜Ｚｓ４の平均値が、式（２）における生体インピーダンスＺｓに代入される。
【００７２】
次に、体脂肪量算出部１４は、ステップＳ１において制御部１０が受け付けた体格情報のうちの身長Ｈと、算出された生体インピーダンスＺｔとに基づいて、除脂肪量ＦＦＭを算出する（ステップＳ１５）。除脂肪量ＦＦＭは、上述の式（３）により算出される。
【００７３】
また、体脂肪量算出部１４は、ステップＳ１で制御部１０が受け付けた体格情報のうちの体重Ｗｔと、ステップＳ１５で体脂肪量算出部１４が算出した除脂肪量ＦＦＭとに基づいて、体脂肪率を算出する（ステップＳ１６）。体脂肪率は、上述の式（４）により算出される。
【００７４】
そして、表示部２６は、制御部１０の制御に基づいて、各測定結果を表示する（ステップＳ１７）。
【００７５】
以上で体脂肪測定装置１は、内臓脂肪面積測定処理を含む体脂肪量測定処理を終了する。なお、生体インピーダンスＺｔ１〜Ｚｔ４の典型的な値は、それぞれ約５Ω程度である。また、生体インピーダンスＺｓ１〜Ｚｓ４の典型的な値は、それぞれ約８０Ω程度である。
【００７６】
＜体脂肪測定装置の構成＞
次に、体脂肪測定装置の構成について具体的に説明する。図３は、体脂肪測定装置の構成を示す図であり、体脂肪測定装置の各装着ユニットを被験者に装着した状態を示す斜視図である。なお、以下に示す体脂肪測定装置は、図１に示す体脂肪測定装置１において、図示される４つの腹部電極Ａ１１，Ａ１２，Ａ２１，Ａ２２を１組とする腹部電極群が互いに平行に４組配置されてなるものである。
【００７７】
図３に示すように、体脂肪測定装置１は、被験者３００の腹部３０１に装着される生体インピーダンス測定用腹部装着ユニット１１０と、被験者３００の上肢に装着される一対の生体インピーダンス測定用上肢装着ユニット１７２Ａ，１７２Ｂと、被験者３００の下肢に装着される一対の生体インピーダンス測定用下肢装着ユニット１７３Ａ，１７３Ｂと、これら各種装着ユニット１１０，１７２Ａ，１７２Ｂ，１７３ａ，１７３Ｂに接続ケーブル１８０を介して接続された装置本体１６０とを備えている。
【００７８】
装置本体１６０は、上述した制御部１０，定電流生成部２１，端子切替部２２，電位差検出部２３，被験者情報入力部２５，表示部２６，操作部２７，メモリ部２９等を含んでいる。生体インピーダンス測定用腹部装着ユニット１１０は、腹部３０１に巻き回し可能な帯状の部材にて構成されており、電極支持部材１２０と、ベルト部材１３０とを含んでいる。生体インピーダンス測定用上肢装着ユニット１７２Ａ，１７２Ｂおよび生体インピーダンス測定用下肢装着ユニット１７３Ａ，１７３Ｂは、被験者３００の上肢または下肢を挟持可能なクリップ状の形状を有している。生体インピーダンス測定用腹部装着ユニット１１０、生体インピーダンス測定用上肢装着ユニット１７２Ａ，１７２Ｂおよび生体インピーダンス測定用下肢装着ユニット１７３Ａ，１７３Ｂは、それぞれ被験者の体表面に接触配置可能な電極を有している。なお、装置本体１６０に設けられた定電流生成部２１，端子切替部２２，電位差検出部２３等は、必要に応じて生体インピーダンス測定用腹部装着ユニット１１０に設けることも可能である。
【００７９】
図３に示すように、各種の体脂肪量の測定を行なうに際しては、被験者３００はベッド面４００上において仰臥位（すなわち仰向けに寝転んだ姿勢）をとる。その際、ベッド面４００上の所定位置に後述する本発明の実施の形態における生体インピーダンス測定用腹部装着ユニットの装着補助具２００を予め載置しておき、被験者３００は、当該装着補助具２００上に腹部（腰部）が位置するようにベッド面４００上に寝転ぶ。そして、上述の装着補助具２００を用いて被験者３００の腹部３０１に生体インピーダンス測定用腹部装着ユニット１１０を装着し、生体インピーダンス測定用上肢装着ユニット１７２Ａ，１７２Ｂを被験者３００の上肢（好適には手首３０２Ａ，３０２Ｂ）に装着し、生体インピーダンス測定用下肢装着ユニット１７３Ａ，１７３Ｂを被験者３００の下肢（好適には足首３０３Ａ，３０３Ｂ）に装着する。この各種装着ユニット１１０，１７２Ａ，１７２Ｂ，１７３Ａ，１７３Ｂの装着により、これら各種装着ユニット１１０，１７２Ａ，１７２Ｂ，１７３Ａ，１７３Ｂに設けられた電極が、被験者３００の体表面に接触させられる。なお、各種の体脂肪量の測定中においては、被験者３００は上述の仰臥位を維持する。
【００８０】
＜生体インピーダンス測定用腹部装着ユニットの構成＞
次に、生体インピーダンス測定用腹部装着ユニットの構成について詳説する。図４は、生体インピーダンス測定用腹部装着ユニットの構成を示す図であり、図４（Ａ）は下面図、図４（Ｂ）は側面図である。
【００８１】
図４（Ａ）および図４（Ｂ）に示すように、生体インピーダンス測定用腹部装着ユニット１１０は、電極支持部材１２０と、ベルト部材１３０とを主として含んでいる。電極支持部材１２０は、平面視略矩形状のシート状の部材からなり、ベルト部材１３０は、長尺状の形状を有している。これら電極支持部材１２０およびベルト部材１３０は、いずれも装着状態において腹部の表面にフィットするように柔軟な材料にて構成されている。
【００８２】
電極支持部材１２０の下面には、行列状に複数の電極１２２が配設されている。これら複数の電極１２２のそれぞれは、シート状の電極支持部材１２０の下面から僅かに突出した状態で設けられている。行列状に配置された複数の電極１２２のそれぞれは、４つの腹部電極Ａ１１，Ａ１２，Ａ２１，Ａ２２を１組とする４組の腹部電極群に含まれる各々の腹部電極に相当している。電極の材質としては、生体適合性に優れた金属材料が選択される。
【００８３】
ベルト部材１３０の長尺方向の一端部１３１は、電極支持部材１２０の上面の一端部に固定されている。一方、ベルト部材１３０の長尺方向の他端部１３２の内周面には、面ファスナ１３４が取付けられている。電極支持部材１２０の上面の他端部には、上記ベルト部材１３０に取付けられた面ファスナ１３４に係合可能な面ファスナ１２４が取付けられている。また、電極支持部材１２０の上面の略中央部には、装着の際に腹部に対して電極１２２を位置決めするために被験者の臍位置に位置合わせされる位置決め用貫通穴１２３が設けられている。なお、電極支持部材１２０の上面の所定位置には、接続ケーブル１８０を取付けるためのコネクタ１２６が設けられている。
【００８４】
（実施の形態１）
以下において、本発明の実施の形態１における生体インピーダンス測定用腹部装着ユニットの装着補助具の構成について詳説する。図５は、本実施の形態における生体インピーダンス測定用腹部装着ユニットの装着補助具の外観構造を示す斜視図である。
【００８５】
図５に示すように、本実施の形態における生体インピーダンス測定用腹部装着ユニットの装着補助具２００Ａは、ベッド面に載置可能な台状の部材からなるベース部２１０を有しており、当該ベース部２１０の上面には、被験者の腹部（腰部）を受け入れ可能な凹み状の支持面２１１が設けられている。ベース部２１０に設けられた支持面２１１は、被験者が当該装着補助具２００Ａ上に寝転んだ状態において被験者の胴部を下方から支持する。
【００８６】
装着補助具２００Ａのベース部２１０の上面の所定位置には、支持面２１１を横断する方向に延びる（すなわち、被験者が当該装着補助具２００Ａ上に寝転んだ状態において被験者の胴部を横切る方向に延びる）溝２１２が設けられている。この溝２１２は、当該溝２１２中を生体インピーダンス測定用腹部装着ユニットのベルト部材が挿通可能となるように、生体インピーダンス測定用腹部装着ユニットのベルト部材の幅よりも大きい幅で、かつ生体インピーダンス測定用腹部装着ユニットのベルト部材の厚みよりも大きい深さで形成されている。
【００８７】
次に、本実施の形態における生体インピーダンス測定用腹部装着ユニットの装着補助具を用いた生体インピーダンス測定用腹部装着ユニットの装着手順について説明する。図６ないし図８は、本実施の形態における生体インピーダンス測定用腹部装着ユニットの装着補助具を用いた生体インピーダンス測定用腹部装着ユニットの装着手順を示す模式図である。
【００８８】
図６に示すように、生体インピーダンス測定用腹部装着ユニット１１０を被験者３００の腹部３０１に装着するに際しては、まず、装着補助具２００Ａをベッド面４００上に載置し、その上に被験者３００の腹部３０１が位置するように被験者３００が仰臥位にて寝転ぶ。その際、被験者３００の腹部３０１が装着補助具２００Ａの支持面２１１によって支持されるようにする。
【００８９】
次に、被験者３００の腹部前面に生体インピーダンス測定用腹部装着ユニット１１０の電極支持部材１２０を位置決めして載置する。このとき、電極支持部材１２０の下面が被験者３００の腹部前面に対向するように電極支持部材１２０を腹部前面に載置し、電極支持部材１２０に設けられた位置決め用貫通穴１２３を用いて当該位置決め用貫通穴１２３が被験者３００の臍位置に合致するように腹部前面に載置した電極支持部材１２０の位置を調節する。
【００９０】
つづいて、生体インピーダンス測定用腹部装着ユニット１１０のベルト部材１３０の他端部１３２を装着補助具２００Ａの挿通路である溝２１２の一方端から当該溝２１２中に向けて挿し込む。その際、ベルト部材１３０が捩れないようにベルト部材１３０の表裏を確認しながらベルト部材１３０を溝２１２に挿し込む。
【００９１】
次に、図７に示すように、溝２１２の他方端からベルト部材１３０の他端部１３２を引き出す。
【００９２】
その後、図８に示すように、ベルト部材１３０に弛みが生じないようにベルト部材１３０の他端部１３２寄りの部分を巻き付け方向に引っ張りつつ、ベルト部材１３０に設けられた面ファスナ１３４と電極支持部材１２０に設けられた面ファスナ１２４とを係止させる。
【００９３】
以上により、生体インピーダンス測定用腹部装着ユニット１１０の被験者３００の腹部３０１への装着が完了する。
【００９４】
以上において説明した如くの生体インピーダンス測定用腹部装着ユニットの装着補助具２００Ａを利用することにより、被験者３００が仰臥位をとった後にも、被験者３００の腹部３０１とベッド面４００との間に装着補充具２００Ａのベース部２１０によって規定される挿通路としての溝２１２が存在することになるため、当該溝２１２にベルト部材１３０を挿通させることによって容易に生体インピーダンス測定用腹部装着ユニット１１０を被験者３００の腹部３０１に装着することができる。また、生体インピーダンス測定用腹部装着ユニット１１０の付け直しが必要になった場合にも、被験者３００が仰臥位をとった状態のままその付け直し作業が容易に行なえるようになる。したがって、本実施の形態の如くの装着補助具２００Ａを利用することにより、上述の体脂肪測定装置１を使用した体脂肪量の測定が容易に行なえるようになる。
【００９５】
また、上述の如くの構成の装着補助具２００Ａとすることにより、台状の部材からなるベース部２１０に溝２１２を設けるという簡素な構成にて挿通路を形成することが可能になるため、装着補助具の構造が複雑化することなく、使い勝手のよい装着補助具を安価に製作することが可能になる。
【００９６】
（実施の形態２）
図９は、本発明の実施の形態２における生体インピーダンス測定用腹部装着ユニットの装着補助具の外観構造を示す斜視図である。なお、上述の実施の形態１における装着補助具と同様の部分については図中同一の符号を付す。
【００９７】
図９に示すように、本実施の形態における生体インピーダンス測定用腹部装着ユニットの装着補助具２００Ｂは、上述の実施の形態１における装着補助具２００Ａと同様に、ベッド面に載置可能な台状の部材からなるベース部２１０を有しており、当該ベース部２１０の上面には、被験者の腹部（腰部）を受け入れ可能な凹み状の支持面２１１が設けられている。この支持面２１１は、被験者が当該装着補助具２００Ｂ上に寝転んだ状態において被験者の胴部を下方から支持する。
【００９８】
装着補助具２００Ｂのベース部２１０の上面の所定位置には、支持面２１１を横断する方向に延びる（すなわち、被験者が当該装着補助具２００Ｂ上に寝転んだ状態において被験者の胴部を横切る方向に延びる）溝２１２が設けられている。当該溝２１２には、内部に中空部を有する管状部材２２０が収容されている。この管状部材２２０は、ベース部２１０に取付けられた状態においてベース部２１０の鞘状部を構成しており、その内部の中空部がベース部２１０が規定する挿通路を形成している。
【００９９】
管状部材２２０は、その延在方向の一端部および他端部に蛇腹状部２２１，２２２を有している。蛇腹状部２２１，２２２は、それぞれベース部２１０に設けられた溝２１２の両端からさらに外側に向かって突出して設けられている。
【０１００】
管状部材２２０の中空部は、当該中空部中を生体インピーダンス測定用腹部装着ユニットのベルト部材が挿通可能となるように、生体インピーダンス測定用腹部装着ユニットのベルト部材の幅よりも大きい幅で、かつ生体インピーダンス測定用腹部装着ユニットのベルト部材の厚みよりも大きい高さで形成されている。
【０１０１】
本実施の形態における生体インピーダンス測定用腹部装着ユニットの装着補助具２００Ｂを用いて生体インピーダンス測定用腹部装着ユニットを被験者の腹部に装着するに際しては、生体インピーダンス測定用腹部装着ユニットのベルト部材１３０の他端部１３２を装着補助具２００Ａの管状部材２２０の一方端から当該管状部材２２０の中空部内へと挿し込み、管状部材２２０の他方端からベルト部材１３０の他端部１３２を引き出すことによって行なう。
【０１０２】
以上において説明した如くの生体インピーダンス測定用腹部装着ユニットの装着補助具２００Ｂを利用することにより、被験者が仰臥位をとった後にも、被験者の腹部とベッド面との間に装着補充具２００Ｂのベース部２１０によって規定される挿通路としての中空部が存在することになるため、当該中空部にベルト部材１３０を挿通させることによって容易に生体インピーダンス測定用胴部装着ユニットを被験者の腹部に装着することができる。また、生体インピーダンス測定用腹部装着ユニットの付け直しが必要になった場合にも、被験者が仰臥位をとった状態のままその付け直し作業が容易に行なえるようになる。したがって、本実施の形態の如くの装着補助具２００Ｂを利用することにより、上述の体脂肪測定装置１を使用した体脂肪量の測定が容易に行なえるようになる。
【０１０３】
また、上述の如くの構成の装着補助具２００Ｂとすることにより、管状部材２２０の中空部によって挿通路が規定されることになるため、装着補助具の構造が複雑化することなく、使い勝手のよい装着補助具を安価に製作することが可能になる。
【０１０４】
さらには、上述の如くの構成の装着補助具２００Ｂとすることにより、生体インピーダンス測定用胴部装着ユニットを被験者の腹部に装着した状態において、ベルト部材１３０の腹部への締め付けに追従して蛇腹状部２２１，２２２が変形して腹部にフィットすることとなるため、装着補助具を介在させることによって懸念されることとなるベルト部材１３０による被験者の腹部への締め付け力の低下が生じることが防止できる。
【０１０５】
なお、本実施の形態においては、ベース部２１０に別体からなる管状部材２２０を取付ける構成とした場合を例示して説明を行なったが、ベース部２１０自体に管状の部位を設ける構成としてもよいし、管状の部材それ自体がベース部を構成する（すなわち、台状の部材を設けずベッド面に管状部材のみを配置する）ようにしてもよい。また、本実施の形態においては、蛇腹状部２２１，２２２を有する管状部材を用いた場合を例示して説明を行なったが、管状部材が蛇腹状の形状を有している必要は必ずしもない。さらには、本実施の形態においては、管状部材２２０の両端部のみが蛇腹状に形成された場合を例示したが、全体を蛇腹状としてもよい。
【０１０６】
（実施の形態３）
図１０は、本発明の実施の形態３における生体インピーダンス測定用腹部装着ユニットの装着補助具の外観構造を示す斜視図である。また、図１１は、本実施の形態における生体インピーダンス測定用腹部装着ユニットの装着補助を用いた生体インピーダンス測定用腹部装着ユニットの装着手順を示す模式図である。なお、上述の実施の形態１における装着補助具と同様の部分については図中同一の符号を付す。
【０１０７】
図１０に示すように、本実施の形態における生体インピーダンス測定用腹部装着ユニットの装着補助具２００Ｃは、上述の実施の形態１における装着補助具２００Ａと同様に、ベッド面に載置可能な台状の部材からなるベース部２１０を有しており、当該ベース部２１０の上面には、被験者の腹部（腰部）を受け入れ可能な凹み状の支持面２１１が設けられている。この支持面２１１は、被験者が当該装着補助具２００Ｂ上に寝転んだ状態において被験者の胴部を下方から支持する。
【０１０８】
装着補助具２００Ｃのベース部２１０の上面の所定位置には、支持面２１１を横断する方向に延びる（すなわち、被験者が当該装着補助具２００Ｃ上に寝転んだ状態において被験者の胴部を横切る方向に延びる）凹部２１４，２１５が一対設けられている。当該凹部２１４，２１５には、それぞれ昇降機構としての空気袋２３４，２３５が収容されている。空気袋２３４，２３５は、図示しない加圧ポンプ、弁体等に接続されており、空気が出入りすることによって膨縮する。
【０１０９】
図１１に示すように、空気袋２３４，２３５は、その側面に蛇腹状の襠が形成されており、空気袋２３４，２３５は、内部に圧縮空気が供給されることによって上方に向けて膨張する。膨張した空気袋２３４，２３５は、その上部部分がベース部２１０の上面（すなわち支持面２１１）を越えて突出し、被験者３００の腹部３０１を上方に向けて持ち上げる。この状態において、空気袋２３４，２３５の間に生体インピーダンス測定用腹部装着ユニット１１０のベルト部材１３０を挿通するための挿通路としての間隙２４０が発現することになる。
【０１１０】
したがって、本実施の形態における生体インピーダンス測定用腹部装着ユニットの装着補助具２００Ｃを用いて生体インピーダンス測定用腹部装着ユニットを被験者３００の腹部３０１に装着するに際しては、昇降機構としての空気袋２３４，２３５を膨張させて被験者３００の腹部３０１を持ち上げた状態として挿通路としての間隙２４０を発現させ、その状態において生体インピーダンス測定用腹部装着ユニット１１０のベルト部材１３０の他端部１３２を上記間隙２４０の一方端から当該間隙２４０内へと挿し込み、上記間隙２４０の他方端からベルト部材１３０の他端部１３２を引き出すことによって行なう。なお、装着後においては、上記空気袋２３４，２３５内に供給された圧縮空気を外部へと排出し、空気袋２３４，２３５を収縮させて被験者３００の腹部３０１の持ち上げを解除する。
【０１１１】
以上において説明した如くの生体インピーダンス測定用腹部装着ユニットの装着補助具２００Ｃを利用することにより、被験者３００が仰臥位をとった後にも、被験者３００の腹部３０１を持ち上げることによって被験者３００の腹部３０１とベッド面４００との間に挿通路としての間隙２４０が形成されることになるため、当該間隙２４０にベルト部材１３０を挿通させることによって容易に生体インピーダンス測定用腹部装着ユニット１１０を被験者３００の腹部３０１に装着することができる。また、生体インピーダンス測定用腹部装着ユニット１１０の付け直しが必要になった場合にも、被験者３００が仰臥位をとった状態のままその付け直し作業が容易に行なえるようになる。したがって、本実施の形態の如くの装着補助具２００Ｃを利用することにより、上述の体脂肪測定装置１を使用した体脂肪量の測定が容易に行なえるようになる。
【０１１２】
また、上述の如くの構成の装着補助具２００Ｃとすることにより、空気袋２３４，２３５によって簡素な構成にて昇降機構が構成されることになるため、装着補助具の構造が複雑化することなく、使い勝手のよい装着補助具を安価に製作することが可能になる。
【０１１３】
なお、本実施の形態においては、ベース部２１０に昇降機構としての空気袋２３４，２３５を設ける構成とした場合を例示して説明を行なったが、空気袋２３４，２３５それ自体がベース部を構成する（すなわち、台状の部材を設けずベッド面に直接空気袋２３４，２３５を並べて配置する）ようにしてもよい。
【０１１４】
図１２は、本実施の形態における生体インピーダンス測定用腹部装着ユニットの装着補助具の変形例の外観構造を示す斜視図である。図１２に示すように、本変形例に係る装着補助具２００Ｄにあっては、圧縮空気を備蓄する空気タンク２３６をエアチューブ２３８を介して空気袋２３４，２３５に接続し、そのエアチューブ２３８の途中位置に圧力センサ２３７と弁体２３９を設けた構成としている。このように構成すれば、空気袋２３４，２３５に対する圧縮空気の供給が上述の加圧ポンプを用いる場合に比べてより短時間にて行なえるようになり、より取扱い性に優れた生体インピーダンス測定用腹部装着ユニットの装着補助具とすることができる。なお、圧力センサ２３７は、空気袋２３４，２３５の内部の圧力を確認するためのものであり、弁体２３９は、空気袋２３４，２３５の膨張状態を維持したり、当該膨張状態を解除したりするためのものである。
【０１１５】
以上において説明した本発明の実施の形態１ないし３においては、被験者が仰臥位をとることを前提とした生体インピーダンス測定用腹部装着ユニットの装着補助具に本発明を適用した場合を例示して説明を行なったが、被験者が伏臥位や横臥位をとることを前提とした生体インピーダンス測定用腹部装着ユニットの装着補助具に本発明を適用することも当然に可能である。
【０１１６】
また、上述の本発明の実施の形態３においては、被験者の腹部を持ち上げる昇降機構として空気袋を利用した場合を例示して説明を行なったが、この他にも油圧式のジャッキや空気圧シリンダ、カム機構を用いたリフト装置など種々の機構が利用可能である。
【０１１７】
このように、今回開示した上記各実施の形態およびその変形例はすべての点で例示であって、制限的なものではない。本発明の技術的範囲は特許請求の範囲によって画定され、また特許請求の範囲の記載と均等の意味および範囲内でのすべての変更を含むものである。
【図面の簡単な説明】
【０１１８】
【図１】体脂肪測定装置の機能ブロック図である。
【図２】体脂肪測定装置を用いて内臓脂肪面積を測定する際の体脂肪測定装置の動作手順を定めたフローチャートである。
【図３】体脂肪測定装置の構成を示す図であり、体脂肪測定装置の各装着ユニットを被験者に装着した状態を示す斜視図である。
【図４】生体インピーダンス測定用腹部装着ユニットの構成を示す下面図および側面図である。
【図５】本発明の実施の形態１における生体インピーダンス測定用腹部装着ユニットの装着補助具の外観構造を示す斜視図である。
【図６】本発明の実施の形態１における生体インピーダンス測定用腹部装着ユニットの装着補助具を用いた生体インピーダンス測定用腹部装着ユニットの装着手順を示す模式図である。
【図７】本発明の実施の形態１における生体インピーダンス測定用腹部装着ユニットの装着補助具を用いた生体インピーダンス測定用腹部装着ユニットの装着手順を示す模式図である。
【図８】本発明の実施の形態１における生体インピーダンス測定用腹部装着ユニットの装着補助具を用いた生体インピーダンス測定用腹部装着ユニットの装着手順を示す模式図である。
【図９】本発明の実施の形態２における生体インピーダンス測定用腹部装着ユニットの装着補助具の外観構造を示す斜視図である。
【図１０】本発明の実施の形態３における生体インピーダンス測定用腹部装着ユニットの装着補助具の外観構造を示す斜視図である。
【図１１】本発明の実施の形態３における生体インピーダンス測定用腹部装着ユニットの装着補助を用いた生体インピーダンス測定用腹部装着ユニットの装着手順を示す模式図である。
【図１２】本発明の実施の形態３における生体インピーダンス測定用腹部装着ユニットの装着補助具の変形例の外観構造を示す斜視図である。
【符号の説明】
【０１１９】
１  体脂肪測定装置、１０  制御部、１１  演算処理部、１２  インピーダンス算出部、１３  各種脂肪量算出部、１４  体脂肪量算出部、１５  部位別脂肪量算出部、１６  内臓脂肪量算出部、１７  皮下脂肪量算出部、２１  定電流生成部、２２  端子切替部、２３  電位差検出部、２４  体格情報計測部、２５  被験者情報入力部、２６  表示部、２７  操作部、２８  電源部、２９  メモリ部、１１０  生体インピーダンス測定用腹部装着ユニット、１２０  電極支持部材、１２２  電極、１２３  位置決め用貫通穴、１２４  面ファスナ、１２６  コネクタ、１３０  ベルト部材、１３１  一端部、１３２  他端部、１３４  面ファスナ、１６０  装置本体、１７２Ａ，１７２Ｂ  生体インピーダンス測定用上肢装着ユニット、１７３Ａ，１７３Ｂ  生体インピーダンス測定用下肢装着ユニット、１８０  接続ケーブル、２００，２００Ａ〜２００Ｄ  装着補助具、２１０  ベース部、２１１  支持面、２１２  溝、２１４，２１５  凹部、２２０  管状部材、２２１，２２２  蛇腹状部、２３４，２３５  空気袋、２３６  空気タンク、２３７  圧力センサ、２３８  エアチューブ、２３９  弁体、２４０  間隙、３００  被験者、３０１  腹部、３０２Ａ，３０２Ｂ  手首、３０３Ａ，３０３Ｂ  足首、４００  ベッド面、Ａ１１，Ａ１２，Ａ２１，Ａ２２  腹部電極、Ｆ１１，Ｆ１２，Ｆ２１，Ｆ２２  下肢電極、Ｈ１１，Ｈ１２，Ｈ２１，Ｈ２２  上肢電極。
【図１】
2008228976.tif 000003
【図２】
2008228976.tif 000004
【図３】
2008228976.tif 000005
【図４】
2008228976.tif 000006
【図５】
2008228976.tif 000007
【図６】
2008228976.tif 000008
【図７】
2008228976.tif 000009
【図８】
2008228976.tif 000010
【図９】
2008228976.tif 000011
【図１０】
2008228976.tif 000012
【図１１】
2008228976.tif 000013
【図１２】
2008228976.tif 000014